(57)【要約】【課題】  豪華さがあり、且つ衿が見事に立って精緻で華やかな打掛けの雰囲気を醸し出すミニ打掛け置物を提供する。【解決手段】  袖口１１と裾１２の箇所に綿１ｂを入れて、打掛けを疑似縮小化させてなるミニ打掛け１と、基台３上に垂直起立する支柱４の上端部に上端解放の凹溝４５を設け、該凹溝に横竿部材５の中央部分を嵌入させて係止し該横竿部材を水平配設させると共に、この水平配設された該横竿部材より支柱上端４６ｃが所定高さ分だけ突出する突出部４６を該支柱に形成するスタンド２と、を具備し、支柱両側に張り出す該横竿部材の両水平部分５１に両袖１３をそれぞれ通して、且つ該突出部４６により前記ミニ打掛け１の衿１５を立てて該スタンド２にミニ打掛け１を飾るようにした。【選択図】  図２
0003115328.tif 000002
【実用新案登録請求の範囲】
【請求項１】
袖口と裾の箇所に綿を入れて、打掛けを疑似縮小化させてなるミニ打掛け(１)と、
基台(３)に垂直起立する支柱(４)の上端部に上端解放の凹溝(４５)を設け、該凹溝に横竿部材(５)の中央部分を嵌入させて係止し該横竿部材を水平配設させると共に、この水平配設された該横竿部材より支柱上端(４６ｃ)が所定高さ分だけ突出する突出部(４６)を該支柱に形成するスタンド(２)と、を具備し、
支柱両側に張り出す該横竿部材の両水平部分に両袖をそれぞれ通して、且つ該突出部により前記ミニ打掛けの衿を立てて該スタンドにミニ打掛けを飾るようにしたことを特徴とするミニ打掛け置物。
【請求項２】
前記突出部(４６)の先端部分を正面視半円状部(４６ａ)に形成する一方、前記基台(３)の上面のほぼ中央に四角柱穴の凹所(３１)を設けると共に前記支柱(４)の基端部の太さを支柱本体部の太さより細くして該凹所に嵌合する四角柱形の挿入部(４１)を設け、該挿入部を該凹所に挿入することにより支柱(４)が基台(３)上に自立する請求項１記載のミニ打掛け置物。
【考案の詳細な説明】
【技術分野】
【０００１】
本考案は例えば玄関,部屋の棚,床の間などに置き、装飾品として飾られるミニ打掛け置物に関する。
【背景技術】
【０００２】
着物や和装小物を疑似縮小化したミニ和装品は既に知られ、このミニ和装品の装飾効果を高めるべく該ミニ和装品を飾りつける衣桁風の架台を備える室内装飾品の発明技術も提案されている(例えば特許文献１,２)。
【０００３】
【特許文献１】特開平４−１６３９８号公報
【特許文献１】実用新案登録第３０４８９６６号公報
【考案の開示】
【考案が解決しようとする課題】
【０００４】
しかるに、特許文献１,２の室内装飾品は着物や帯等のミニ和装品にとどまり、そのミニ着物にあっては豪華さを十分発揮できないでいた。さらに架台も横桟に単にミニ着物の袖を通して飾るだけで衿が下向きになってしまい、見劣りさせることになっていた。
【０００５】
本考案は上記問題点を解決するもので、ミニ打掛けに豪華さがあり、且つ衿が見事に立って精緻で華やかな打掛けの雰囲気を醸し出すミニ打掛け置物を提供することを目的とする。
【課題を解決するための手段】
【０００６】
上記目的を達成すべく、請求項１に記載の考案の要旨は、袖口と裾の箇所に綿を入れて、打掛けを疑似縮小化させてなるミニ打掛け(１)と、基台(３)上に垂直起立する支柱(４)の上端部に上端解放の凹溝(４５)を設け、該凹溝に横竿部材(５)の中央部分を嵌入させて係止し該横竿部材を水平配設させると共に、この水平配設された該横竿部材より支柱上端(４６ｃ)が所定高さ分だけ突出する突出部(４６)を該支柱に形成するスタンド(２)と、を具備し、支柱両側に張り出す該横竿部材の両水平部分に両袖をそれぞれ通して、且つ該突出部により前記ミニ打掛けの衿を立てて該スタンドにミニ打掛けを飾るようにしたことを特徴とするミニ打掛け置物にある。
請求項２の考案たるミニ打掛け置物は、請求項１で、突出部(４６)の先端部分を正面視半円状部(４６ａ)に形成する一方、前記基台(３)の上面のほぼ中央に四角柱穴の凹所(３１)を設けると共に前記支柱(４)の基端部の太さを支柱本体部の太さより細くして該凹所に嵌合する四角柱形の挿入部(４１)を設け、該挿入部を該凹所に挿入することにより支柱(４)が基台(３)上に自立することを特徴とする。
【考案の効果】
【０００７】
本考案のミニ打掛け置物は、従来のミニ着物にない豪華さがミニ打掛けにあり、さらにその衿が見事に立って精緻で華やかな打掛けの雰囲気を醸し出すなど優れた効果を発揮する。
【考案を実施するための最良の形態】
【０００８】
以下、本考案に係るミニ打掛け置物について詳述する。
(１）実施形態１
図１〜図９は本考案のミニ打掛け置物の一形態で、図１はそのミニ打掛けをスタンドに飾ったミニ打掛け置物の全体斜視図、図２は図１でミニ打掛けの模様を省略してスタンドを破線で図示した全体斜視図、図３はミニ打掛けの説明斜視図、図４はスタンドの分解斜視図、図５は組み立てられたスタンドの全体斜視図、図６は図５の平面図、図７は凹溝周りの部分拡大図で、(イ)が正面図、(ロ)が側面図、(ハ)が平面図である。図８は図７(ロ)と別態様の凹溝周りの部分拡大側面図、図９はまた図７,図８と別態様の凹溝周りの部分拡大図で、(イ)が正面図、(ロ)が側面図、(ハ)が平面図である。
【０００９】
ミニ打掛け置物はミニ打掛け１とスタンド２とを具備する。ミニ打掛け１は、袖口１１と裾１２の箇所に綿１ｂを入れて、打掛けを疑似縮小化させてなる装飾品である。例えば古い着物や縮緬風呂敷などを利用し、その素材布地の柄,模様Ｍを生かしながらミニチュアの打掛け形状部１ａに縫製する。そして、該打掛け形状部１ａの袖口１１と裾１２の箇所に綿１ｂを入れて、打掛けを疑似縮小化させてなるミニ打掛け１を形成する。
ここで、素材布地をミニチュアの打掛け形状部１ａに縫製しミニ打掛け１としても、まだ豪華とは言い難い。打掛け形状部１ａの袖口１１と裾１２の箇所に綿１ｂを入れることによって、その部分がふくらみをもち、ミニ打掛け１であっても日本の伝統的な婚礼衣裳として気高く古式ゆかしい内掛けの豪華さ,重厚感のある雰囲気が味わえるようになる。袖口１１と裾１２の所に綿１ｂを縫い込んだ本ミニ打掛け１は、特許文献１,２と違って、スタンド２にかけるだけでも立体感を表現できる。表地には、図１のごとく松竹梅,鶴などのおめでたいものや桜,菊などの季節感を表す柄,模様Ｍが表現され、美しさを一層際立たせる。ミニ打掛け１は例えば身丈の高さが３０ｃｍ〜５０ｃｍ程度の置物としてほどよい大きさになっている。ミニ打掛け１の身丈が高くなればミニ打掛け１の裄も長くなる。ミニ打掛け１の飾る場所等に合わせて大小いくつかのサイズのミニ打掛け１が作製される。
【００１０】
スタンド２は基台３と支柱４と横竿部材５とを備える白木等からなる木製品で、前記ミニ打掛け１を置物として図１のように拡開して綺麗に飾れるよう支持する道具である。
基台３は上面３０のほぼ中央に四角柱穴の凹所３１を設けた方形盤状の木製盤体である(図４)。ここでの凹所３１は長方形の形をした基台上面３０から下面に達する手前まで穿設した凹穴とする。凹所３１の底には空気抜け孔３２(図１０参照)が設けられる。ミニ打掛け１をスタンド２で安定して受け支えられるよう、基台３は所定厚みを有して、ミニ打掛け１のサイズに合わせた下面の大きさ(例えば約１５ｃｍ×約１５ｃｍ)が確保される。基台３の角部は面取りをし、なめらかにする。
【００１１】
支柱４は前記基台３上に垂直起立し、その上端部に上端解放の凹溝４５を設ける木製柱状体である。該凹溝４５に横竿部材５の中央部分５０を嵌入させて係止し該横竿部材５を水平配設させることができる。
本実施形態の支柱４は本体部４０が四角柱状で、基端部にはその太さを本体部４０の太さより一回り細くして前記凹所３１に嵌合する四角柱形の挿入部４１が設けられる。該挿入部４１を該凹所３１に挿入することにより支柱４が基台３上に自立する構造とする。凹所３１に挿入部４１を挿入することにより支柱４が基台３上に自立(起立)すると、凹溝４５の溝方向と基台上面３０の長方形の長辺方向とが一致する (図６)。四角形穴の凹所３１に四角柱状挿入部４１が挿着されることによって、支柱４が基台３に嵌合一体化するため支柱４は基台３上で軸回転が不可能になる。一方、凹所３１から挿入部４１を引き抜けば、支柱４を基台３と別体にして小さく片付けることができる。
支柱４には前記凹溝４５に横竿部材５を嵌入させて係止することにより水平配設される該横竿部材５より支柱４の上端４６ｃが所定高さ分だけ突出するよう突出部４６が形成される。本実施形態の凹溝４５は図７(ロ)のごとく側面視「コ」字形の溝とするが、側面視「ｕ」字形等の溝にすることができる。
【００１２】
横竿部材５は木製の丸棒体で、その中央部分５０を前記凹溝４５に嵌入させて係止し水平配設させることのできる太さを有する。横竿部材５及び支柱４も木製であることから、横竿部材５の太さを凹溝４５の溝幅と同等又はこれより若干大きめに作製して、基板上で起立する支柱４に対し横竿部材５を凹溝４５に圧入することによって図５のごとく簡単に該横竿部材を水平配設し固定できる。
垂直起立する支柱両側に張り出す横竿部材５の両水平部分５１に、ミニ打掛け１の両袖１３をそれぞれ通し、さらに前記突出部４６によりミニ打掛け１の衿１５を立ててスタンド２にミニ打掛け１が飾られることとなる。両水平部分５１にミニ打掛け１の両袖１３をそれぞれ通すだけで、該ミニ打掛け１は両水平部分５１にかけることができ、ミニ打掛け１の形,柄・模様Ｍを鑑賞できる図１のごとくの拡開状態になる。水平部分５１は打掛けの裄の長さと同等又は僅かに長くすることによって、横竿部材５の水平部分５１の先端５１ａが袖口１１から隠れるか或いは僅かにしか出ない状態となり、見端が良くなる(図１,図２)。
【００１３】
ここで、前記横竿部材５は凹溝４５に嵌入させて係止状態を保つことが必要であり、凹溝４５との関係でいえば多少きつめにする一方で、図７(ロ)のごとく溝底４５ａまで圧入し易い形状であることがより好ましい。横竿部材５は少なくとも凹溝４５に嵌入する中央部分５０が、本実施形態の丸棒形(図８のイ)であるか、また図８(ロ)の横断面かまぼこ形や図８(ハ)の横断面台形の形状等が弾性圧縮変形し易く好適となる。
【００１４】
また、前記突出部４６は凹溝４５に水平配設された横竿部材５より支柱上端４６ｃが所定高さ分だけ突出することにより設けられるが、その突出部４６の高さは２ｃｍ〜３ｃｍの範囲が好ましい。この高さ範囲にすると、ミニ打掛け１の衿１５が綺麗に立つ。本実施形態は支柱４の本体部４０の四角柱の形状のまま上端へ延び突出部４６を形成するが、図９(イ)のごとく突出部４６の先端部分を正面視半円状部４６ａに形成すると、ミニ打掛け１の衿１５がより綺麗に立ち、見栄えが良くなる。さらに図９(ロ),(ハ)のごとく突出部４６の先端部分に丸みを付けると、ミニ打掛け１の衿１５がより綺麗に立ち、見栄えが一層良くなり好ましくなる。
【００１５】
このように構成したミニ打掛け置物は、古い着物や縮緬風呂敷などを布地を利用してミニチュアにしたミニ打掛け１を置物とするものであり、ミニ着物と違って豪華になる。袖口１１と裾１２の箇所に綿１ｂを入れて縫い込み、ミニ打掛け１を創作することによって、袖口１１や裾１２の部分にふくらみをもたせ豪華に創り上げることができる。そして、本考案のごとくのスタンド２にかけるだけでも、袖口１１と裾１２の箇所に綿１ｂが縫い込まれることによって立体感のある置物になる。ミニチュア化しても伝えられてきたその形の美しさ,豪華さを感じさせ、ミニ打掛け置物は装飾品として実に優れた効果を発揮する。床の間や玄関等に置くことによって、気分を晴れやかにし、気分を和ませ、心を豊かにする。打掛けそのものを眺めようとすると、大きくてそのスペースが必要となるが、本考案のごとくミニ打掛け１となると、どこにでも置いて楽しむことができる。結婚式の時に花嫁が着用する打掛けは、日本の文化を世界に伝えるもので代表的なものであり、このミニ打掛け置物は国内外の旅行者のお土産品等にも打ってつけとなる。
【００１６】
また本ミニ打掛け置物は、スタンド２が基台３と支柱４と横竿部材５を組み合わせただけの単純構成ながら、ミニ打掛け１に立体感を伴わせながら豪華に飾ることができる。基台３の凹所３１に支柱４の挿入部４１を嵌入させると、基台３上で支柱４が立設する。そして、支柱４の凹所３１に横竿部材５の中央部分５０を嵌入するだけで横竿部材５が水平配設されるよう係止されるので、スタンド２の組立てが容易である。それでいて、支柱４の両側に張り出す横竿部材５の両水平部分５１にミニ打掛け１の両袖１３をそれぞれ通せば、ミニ打掛け１は両水平部分５１に支えられ、ミニ打掛け１は形,柄,模様Ｍを鑑賞できる図１のような拡開状態になる。このときスタンド２はミニ打掛け１に隠れるので、該スタンド２が見栄えを悪くすることはない。スタンド２の横竿部材５は凹所３１に挿入部４１が嵌合し基台３上を支柱４が軸回転できない構造にあるので、いったん正面を向けて飾られたミニ打掛け１は多少の外力が加わっただけでは横を向いたりしない。
【００１７】
加えて、スタンド２は支柱４の突出部４６が横竿部材５より上方に２ｃｍ〜３ｃｍほど突出するよう設けられるので、ミニ打掛け１を該スタンド２に飾りつけた時、衿１５が見事に立ってより美しいミニ打掛けを楽しむことができる。これまでの衣桁等のスタンド(特許文献１では架台)では、衿１５が下向きになっていたのでその効果が十分発揮されていなかった。これに対し、本考案はミニ打掛け１をスタンド２にかけると突出部４６によって衿１５が綺麗に立ち、該突出部４６がより一層美しいミニ打掛け１となるよう演出する。しかも、本実施形態のスタンド２は支柱上端部に設けた凹溝４５に横竿部材５の中央部分５０を嵌入させ係止するだけで、横竿部材５より上方へ突出する突出部４６を形成するので、極めて単純且つシンプルな構造になっている。スタンド２は基台３,支柱４,横竿部材５の３点からなり、部品点数も少なく且つ故障も少なく低コスト化に貢献できる。さらに、基台３,支柱４,横竿部材５の各パーツに分解でき、収納,持ち運び等にも便利である。このようにスタンド２も斬新性に富み、多大な効を奏する。
【００１８】
(２）実施形態２
本実施形態は実施形態１のスタンドに代えて図１０,図１１のようなスタンドとする。
スタンド２は基台３と支柱４と横竿部材５とを備える白木等からなる木製品で、ミニ打掛け１を置物として図１のように拡開して綺麗に飾れるよう支持する道具である。
ここでの基台３は図示のごとくの八角形の盤状体で、上面中央に平面視長方形した凹所３１を基台３の底面近くにまで達するよう穿設する。符号３２は凹所３２の底に設けた空気抜け孔を示す。凹所３１に支柱４の挿入部４１を嵌入時に該凹所内の空気が該空気抜け孔を通って逃げる。
支柱４は断面略正方形の柱体で、基端部の幅を狭めて凹所に嵌合する挿入部４１を形成する。図１０では２本の支柱４を図示するが、支柱の正面視と側面視を表すため２つ並べたものであり、スタンド２には図１１のごとく１本の支柱２で足りる。凹所３１に挿入部４１を挿着することにより基台３上に支柱が垂直自立する。支柱４の上端部には上端解放の凹溝４５が設けられ、該凹溝に横竿部材５の中央部分を嵌入させて係止し該横竿部材を水平配設させることができる。この水平配設された該横竿部材から支柱上端４６ｃまで所定高さ分だけ突出するが、この部分が突出部４６となる。本実施形態は図１０のごとく側面視文字通りの凹形の溝で、また突出部４６は先端部分を正面視半円状部４６ａに形成する。
【００１９】
横竿部材５は横断面長方形した木製の角棒体で、その中央部分５０に前記凹溝４５の溝幅とほぼ同じ長さの切欠溝５３を形成する。この切欠溝５３の溝底を凹溝４５の溝底４５ａに当接させるようにして、横竿部材５の中央部分５０を凹溝４５に嵌入させて係止し、基台３上に垂直起立する支柱４に水平配設する。溝底４５ａに横竿部材５の切欠溝５３が嵌合すると、横竿部材５の横ズレがなくなる。実施形態１と同様、垂直起立する支柱両側に張り出す横竿部材５の両水平部分５１にミニ打掛け１の両袖１３をそれぞれ通し、さらに前記突出部４６によりミニ打掛け１の衿１５を立ててスタンド２にミニ打掛け１が飾られることとなる。水平部分５１は打掛けの裄の長さと同等又は僅かに長くし、また水平部分５１の先端５１ａを図示のごとく丸くしその先端５１ａが袖口１１から僅かにしか出ない状態とし見端を一層良くする。他の構成は実施形態１と同様で、その説明を省略する。実施形態１と同一符号は同一又は相当部分を示す。
【００２０】
このように構成したミニ内掛け置物は、基台３上に垂直起立する支柱４の溝底４５ａに横竿部材５の切欠溝５３が嵌合することにより横竿部材５の横ズレがなくなるので、横竿部材５にかけられたミニ打掛けが横竿部材５の横ズレによって形を崩すことがない。切欠溝５３の形成によって、実施形態１のものよりも、スタンド２に華やかに飾られたミニ打掛けはその形が保たれやすくなっている。他の効果は実施形態１と同様でその説明を省く。
【００２１】
尚、本考案においては、前記実施形態,実施例に示すものに限られず、目的,用途に応じて本考案の範囲で種々変更できる。ミニ打掛け１,スタンド２,基台３,支柱４,横竿部材５等の形状,大きさ等は用途等に合わせて適宜選択できる。
【図面の簡単な説明】
【００２２】
【図１】実施形態１で、ミニ打掛けをスタンドに飾ったミニ打掛け置物の全体斜視図である。
【図２】図１でミニ打掛けの模様を省略してスタンドを破線で図示した全体斜視図である。
【図３】ミニ打掛けの説明斜視図である。
【図４】スタンドの分解斜視図である。
【図５】組み立てられたスタンドの全体斜視図である。
【図６】図５の平面図である。
【図７】凹溝周りの部分拡大図で、(イ)が正面図、(ロ)が側面図、(ハ)が平面図である。
【図８】図７(ロ)と別態様の凹溝周りの部分拡大側面である。
【図９】図７,図８と別態様の凹溝周りの部分拡大図で、(イ)が正面図、(ロ)が側面図、(ハ)が平面図である。
【図１０】実施形態２に係るスタンドの分解説明図である。
【図１１】図１０のスタンドが組み立てられた全体斜視図である。
【符号の説明】
【００２３】
１          ミニ打掛け
１１        袖口
１２        裾
１３        袖
１５        衿
２          スタンド
３          基台
４          支柱
４１        挿入部
４５        凹溝
４６        突出部
４６ａ      半円状部
４６ｃ      上端
５          横竿部材
５０        中央部分
５１        水平部分
【図１】
0003115328.tif 000003
【図２】
0003115328.tif 000004
【図３】
0003115328.tif 000005
【図４】
0003115328.tif 000006
【図５】
0003115328.tif 000007
【図６】
0003115328.tif 000008
【図７】
0003115328.tif 000009
【図８】
0003115328.tif 000010
【図９】
0003115328.tif 000011
【図１０】
0003115328.tif 000012
【図１１】
0003115328.tif 000013